【事件の表示】
　特許第３２０１３５９号「キースイッチ装置」の請求項１に係る特許に対する特許異議の申立てについて、次のとおり決定する。
【結　論】
　訂正を認める。
　特許第３２０１３５９号の請求項１に係る特許を維持する。
【理　由】
１．手続の経緯
　特許第３２０１３５９号の請求項１に係る発明についての出願は、平成４年２月１４日に出願した特願平４−６１３９５号の一部を平成１０年９月２８日に新たな特許出願としたものであって、平成１３年６月２２日にその発明について特許権の設定登録がされ、その後、片山雄次郎により特許異議の申立てがされ、取消しの理由が通知され、その指定期間内である平成１４年７月５日に訂正請求がされ、平成１４年９月６日付けで、「訂正を認める。特許第３２０１３５９号の請求項１に係る特許を取り消す。」との決定がされ、これに対し、平成１４年１１月１８日に東京高等裁判所に訴えの提起がなされ、平成１６年３月３０日に、平成１４年９月６日にした決定を取り消す旨の判決〔平成１４年（行ケ）第５８０号〕が言渡されたので、さらに上記特許異議の申立てについて審理する。
　
２．訂正の適否
（１）訂正の内容
　特許権者が求めている訂正の内容は以下のとおりである。
イ．訂正事項ａ
　請求項１における「上面に前記回路基板を支持するとともに前記第１係止部の下方位置に複数の第２係止部が形成された支持板とを備え」なる記載を「上面に前記回路基板を支持するとともに
、
前記回路基板の挿通孔に上方に挿通した
ロ．訂正事項ｂ
　明細書の段落番号【０００７】における「上面に前記回路基板を支持するとともに前記第１係止部の下方位置に複数の第２係止部が形成された支持板とを備え」なる記載を「上面に前記回路基板を支持するとともに
、
前記回路基板の挿通孔に上方に挿通した
　
（２）訂正の目的の適否、新規事項の有無、及び特許請求の範囲の拡張・変更の存否
イ．訂正事項ａについては、請求項１に記載された「複数の第２係止部」を「回路基板の挿通孔に上方に挿通」すると限定するものであると認められる。
　上記訂正事項ａに関連する記載として、願書に添付した明細書及び図面（以下、「特許明細書」という。）の内の明細書の段落番号【００３３】には、「また、フレキシブル回路基板３０には、前記各係止片３５、３６に対応してこれを上方に挿通するための挿通孔３０Ａ（図１及び図２参照）が形成されており、これより各係止片３５、３６は、図１及び図２に示すように、挿通孔３０Ａから上方へ挿通されてフレキシブル回路基板３０の上方に配置されるものである。ここに、フレキシブル回路基板３０は、その挿通孔３０Ａから各係止片３５、３６が挿通されることに基づき、支持プレート２５上にて適正な位置に位置決めされるものである。」と記載されていることから、上記「複数の第２係止部」を「回路基板の挿通孔に上方に挿通」することは特許明細書に記載されていた事項であると認められる。
　そうすると、上記訂正事項ａは、特許明細書に記載された範囲内において第２係止部と回路基板の構成を限定するものといえるから、特許請求の範囲の減縮を目的としたものであって、新規事項の追加にも該当しない。
ロ．訂正事項ｂは、訂正事項ａによって請求項１を訂正することに伴い、発明の詳細な説明の記載を訂正後の請求項１に整合させることを図るものであるから、明りょうでない記載の釈明を目的とした明細書の訂正に該当するものであって、新規事項の追加にも該当しない。
　そして、訂正事項ａ及びｂのいずれも、実質上特許請求の範囲を拡張し、又は変更するものでない。
　
（３）むすび
　以上のとおりであるから、上記訂正は、特許法の一部を改正する法律（平成６年法律第１１６号）附則第６条第１項の規定によりなお従前の例によるとされる、特許法第１２０条の４第３項において準用する平成６年法律第１１６号による改正前の特許法１２６条第１項ただし書及び第２項の規定に適合するので、当該訂正を認める。
　
３．特許異議申立について
（１）本件発明
　上記２．で示したように上記訂正が認められるから、特許第３２０１３５９号の請求項１に係る発明（以下、本件発明という。）は、訂正明細書及び図面の記載からみて、訂正明細書の特許請求の範囲の請求項１に記載された次のとおりのものと認める。
「裏面から複数の第１係止部が垂設されたキートップと、
　前記キートップの下方に配設され、両端にそれぞれ係止軸が形成された２つのリンク部材からなる案内支持部材と、
　前記キートップの上下動に伴ってスイッチング動作を行なうスイッチング部材と、
　前記スイッチング部材が載置された回路基板と、
　上面に前記回路基板を支持するとともに、前記第１係止部の下方位置に前記回路基板の挿通孔に上方に挿通した複数の第２係止部が形成された支持板とを備え、
　前記各係止軸のうち上側に位置する係止軸が前記第１係止部に係止されるとともに、下側に位置する係止軸が前記第２係止部に係止されるようにしたことを特徴とするキースイッチ装置。」
　
（２）特許異議申立ての概要
　特許異議申立人・片山雄次郎は、証拠方法として
甲第１号証（実願昭６１−３０９４０号（実開昭６３−４０３３号）のマイクロフイルム）、及び
甲第２号証（実願平１−１３９７９５号（実開平３−７９１３１号）のマイクロフイルム）
を提出し、
本件発明は、甲第１号証若しくは甲第１及び２号証に記載された発明に基づいて当業者が容易に発明をすることができたものであり、特許法第２９条第２項の規定により特許を受けることができないものであるから、本件発明についての特許は取り消されるべきものである旨主張している。
　
（３）当審で通知した取消理由の概要
　本件発明は、実願昭６３−８１７４１号（実開平２−５２３６号）のマイクロフィルム（以下、判決と同じく「刊行物１」という。）及び実願昭６１−３０９４０号（実開昭６３−４０３３号のマイクロフィルム（特許異議申立人の提出した甲第１号証。以下、判決と同じく「刊行物２」という。）に記載された発明に基づいて当業者が容易に発明をすることができたものであるから特許法第２９条第２項の規定により特許を受けることができないというものである。
　
（４）刊行物１、２及び甲第２号証の記載事項
イ．刊行物１
　刊行物１には、第１〜６図とともに以下のような事項が記載されている。
（あ）「押釦スイッチ」（考案の名称）
（い）「１は上面が平坦な硬質樹脂からなる平面長方形状のキートップで、その裏面中央部には下方に向けて垂下する突起１ａが形成されている。２は硬質樹脂からなる板状の上ホルダーで、キートップ１の裏側に当接状態で収納されており、その中央部に突起貫通孔２ａが穿設されている。また上ホルダー２の上側一端部に後記するＸ枠体３の一方の上部を嵌着する溝部２ｂを形成するとともに上側他端部にＸ枠体３の他方の上部がスライドし得る如く段部を有する平坦部２ｃを形成する。Ｘ枠体３は外側の矩形枠体３ａの両側部３ｃの中間の内側に枢着用突部３ｄを形成し、該枢着用突部３ｄが回動自在に嵌合する穴３ｅを両側部３ｆの中間に有する内側の矩形状枠体３ｂをＸ字状に交叉させて組合せたものである。内側の矩形状枠体３ｂの上部は穴３ｅに枢着用突部３ｄを入れ易くするために切離されている。そして外側の矩形枠体３ａの上部は上ホルダー２の溝部２ｂにスライドすることなく固定状に装着されており、また内側の矩形状枠体３ｂの上部は段部を有する平坦部２ｃにスライド自在に支持されている。さらに上ホルダー２の突起貫通孔２ａにはキートップ１の突起１ａを貫通させ、該突起１ａの下端部を後記するラバースイッチ４の穴部４ａに装着する。一方、Ｘ枠体３の内側の矩形状枠体３ｂの脚部３ｇをプリント基板５上に回動自在に固定するために断面下向きコ字型の第１下ホルダー６で固定する。またＸ枠体３の外側の矩形枠体３ａの脚部３ｈをプリント基板５上にスライド自在に保持するために断面下向きコ字型の第２下ホルダー７で保持する。プリント基板５上に形成した固定接点８と対応する位置の上方に可動接点９が位置するようにラバースイッチ４をプリント基板５上に取付ける。ラバースイッチ４は逆椀状にゴム弾性材により成形されており、クリック感を出し得るようにしてあり、その内側に導電性ゴムよりなる可動接点９を形成し、外側の頂部にキートップ１の突起１ａを保持する穴部４ａを有する筒上部４ｂが形成されている。」（明細書第４頁第１９行〜第６頁第１７行）
（う）「キートップ１を指で押している間、該キートップ１は・・・降下し・・・スイッチをオンにさせることができ、・・・キートップ１から指を離すとラバースイッチ４の弾性力に賦勢されて・・・スイッチをオフの状態にする。」（明細書第８頁第７〜１４行）
　上記（あ）〜（う）の記載及び第１〜６図を総合すると、刊行物１には、以下のとおりの発明が記載されていると認められる。
「キートップ１及びキートップ１の裏側に当接状態で収納され上側一端部及び他端部に溝部２ｂ及び平坦部２ｃを形成する上ホルダー２と、
　前記キートップ１の下方に配設され、上端部に軸状物を有し、下端部には軸状の脚部３ｇ，３ｈを有する、中間で回動自在に嵌合した２つの矩形枠体３ａ，３ｂからなるＸ枠体３と、
　前記キートップ１の上下動に伴ってスイッチング動作を行なうラバースイッチ４と、
　前記ラバースイッチ４が載置されたプリント基板５と、
　前記溝部２ｂ及び平坦部２ｃの下方位置に前記プリント基板５に設けられる第１及び第２下ホルダー６，７を備え、
　前記軸状物が前記溝部２ｂ及び平坦部２ｃに係止されるとともに、前記軸状の脚部３ｇ，３ｈが前記第１及び第２下ホルダ６，７に係止される押釦スイッチ」（以下、「刊行物１発明」という。）
　
ロ．刊行物２
　刊行物２には、キーボードに関して、第１〜３図とともに以下のような事項が記載されている。
（あ）「第１図において、取付け鉄板１に取付けられたキースイッチ７には、細長い押下面を有するキートップ２がついているので、このキートップ２のどの部分、例えば両端に近いところなどを押しても、キートップ２が滑らかに下方に動くよう、キートップ２の下面に横方向に開口する切欠き部を有するガイド部６，６が設けられ、その切欠き部に細長いコの字形で両端を折返した形状のキートップ連結棒３の折返した端部が嵌められている。以上の構造は従来のキーボードと同様であるが、この連結棒３を取付け鉄板１に保持する方法として本考案では、取付け鉄板１の他の部分の加工と同時に、その一部に折り曲げ加工を行い、板面から突出させた連結棒保持部４，４および連結棒保持部５を設けている。」（明細書第４頁第１〜１５行）
（い）「連結棒保持部４に連結棒３を保持させるときには、この連結棒保持部４の先端部と取付鉄板１の板面の間に連結棒３の長い直線状部分を挿入する。・・・連結棒３をキーボードに組込むには、まず、連結棒３を連結棒保持部５の貫通孔に通し、連結棒保持部４，４およびキートップに設けられたガイド部６，６の切欠きに挿入し、それぞれ係合させればよい。」（明細書第４頁第２０行〜第５頁第１０行）
（う）「特別な保持部品が不要となり、組立作業も簡単であるため、・・・より低価格のキーボードを提供することができる」（明細書第５頁第１５〜１８行）
　上記（あ）〜（う）の記載及び第１〜３図を総合すると、刊行物２には、以下のとおりの発明が記載されていると認められる。
「取付け鉄板１にキースイッチ７が取り付けられ、キースイッチ７の上部にキートップ２がついており、キートップ２の下面に複数のガイド部６，６が設けられ、その切欠き部に、キートップ２を滑らかに下方に動かすためのキートップ連結棒３の端部を嵌め、取付け鉄板１の一部に折り曲げ加工を行って板面から突出させた複数の連結棒保持部４，４および５を設け、キートップ連結棒３を取付け鉄板１に保持するキーボード。」（以下、「刊行物２発明」という。）
　
ハ．甲第２号証
　甲第２号証には、フルキーボードスイッチに関して、第１〜６図とともに以下のような事項が記載されている。
（あ）「第１図〜第３図（ａ）（ｂ）において、樹脂成形によるケース１には、上面に複数個の円筒状の摺動孔部壁２が設けられ、外周部および中央部適当箇所には複数個の凹状リブ３が設けられ、各凹状リブ３には側方に突出する係止爪４がそれぞれ設けられている。摺動孔部壁２には、ボタン６に形成された摺動部７が上下動可能に挿通されており、ボタン６とケース１の摺動孔部壁２外周との間にはコイルバネ５が組込まれてボタン６を上方に押し上げている。」（明細書第３頁第１３行〜第４頁第２行）
（い）「ケース１の下方に配置されるスイッチ素子部１０は上絶縁板１１とスペーサ１３と下絶縁板１５とから構成されている。上絶縁板１１の下面には所定位置に複数個の可動接点１２が印刷されている。・・・下絶縁板１５には上面に上絶縁板１１の可動接点１２と対向する位置に固定接点１６が印刷されている。ケース１およびスイッチ素子部１０の下面および周部を覆うフレーム１７には外周折曲げ部１７ａと中央折曲げ部１７ｂとが形成され、両折曲げ部１７ａ，１７ｂには角形の係止孔１８がそれぞれ設けられている。」（明細書第４頁第７〜１８行）
（う）「上記のような構成で、その組立ては、フレーム１７の内底面にスイッチ素子部１０を配置し、ケース１の係合爪４をフレーム１７の係止孔１８に位置合せして圧入係合させることにより容易に組立てられる。」（明細書第４頁第１９行〜第５頁第３行）
　
（５）対比・判断
　本件発明と刊行物１発明とを対比すると、両者は少なくとも以下の点で相違している。
前者が「上面に回路基板を支持するとともに、・・・回路基板の挿通孔に上方に挿通した複数の第２係止部が形成された支持板とを備え」ているのに対して、後者は、第１及び第２下ホルダー（前者の「複数の第２係止部」に相当する。）がプリント基板５上に設けられている点で相違する。
　
　そこで上記相違点につき検討する。
　刊行物２発明は、取付け鉄板１の一部に折り曲げ加工を行って板面から突出させた複数の連結棒保持部４，４および５を設け、キートップ連結棒３を取付け鉄板１に保持するものである。
　ところで、上記平成１４年（行ケ）第５８０号判決は、「しかしながら，上記２で述べたとおり，進歩性の判断に当たっては，刊行物２発明の取付け鉄板は下面に回路基板を有するホルダプレートに相当するものであるのかそうでないのか不明であるものとして扱われるべきである。・・・刊行物１発明のプリント基板に周知・慣用技術を適用して上面に回路基板を有する支持板とする甲第４号証想起発明（刊行物１発明の「プリント基板５」を「支持板の上面に回路基板を支持する構成」としたもの、当審注）に想到できるとしても，刊行物２発明の取付け鉄板につき上記の限度での認定しかできないとき，これに刊行物２発明の取付け鉄板を適用することにより，甲第４号証想起発明の支持板を，刊行物２発明の取付鉄板と置き換えることについてまで，これを想到容易であると断ずることはできない。」（第２１頁末行〜第２２頁第９行）と判示している。
　そうすると、本件発明について、刊行物１発明及び刊行物２発明から当業者が容易に発明をすることができたとはいえない。
　また、甲第２号証には、上絶縁板１１とスペーサ１３と下絶縁板１５から構成されるスイッチ素子部１０（本件発明の「回路基板」に相当する。以下、同様。）をフレーム１７（「支持板」）が上面に支持すること、及びフレーム１７の外周折曲げ部１７ａと中央折曲げ部１７ｂには角形の係止孔１８がそれぞれ設けられ、上面に複数個の円筒状の摺動孔部壁２が設けられるケース１の外周部および中央部適当箇所には上記係止孔１８に圧入係合される係止爪４がそれぞれ設けられることが記載されるものの、係止孔１８はケース１をフレーム１７に固定するものであって、本件発明の「両端にそれぞれ係止軸が形成された２つのリンク部材からなる案内支持部材」の「下側に位置する係止軸が」係止される「第２係止部」に相当するものではない。
さらに、刊行物２発明にはキートップ連結棒３を係止する連結棒保持部４，４および５が示されているものの、本件発明の２つのリンク部材からなる案内支持部材はないから、甲第２号証に記載の発明と刊行物２発明とから本件発明を容易に想到できたとはいえない。
　そして、本件発明は、その構成により、明細書の段落【００５０】に記載の効果を奏するものである。
　
（６）むすび
　以上のとおりであるから、本件発明の特許は、特許異議申立ての理由及び証拠方法、及び当審で通知した取消理由によっては取り消すことはできない。
　また、他に本件発明の特許を取り消すべき理由を発見しない。
　したがって、本件発明についての特許は、拒絶の査定をしなければならない特許出願に対してされたものとは認めない。
　よって、結論のとおり決定する。
【異議決定日】
平成１４年９月６日（２００２．９．６）
【訂正の要旨】
審決（決定）の【理由】欄参照。
（５４）【発明の名称】
キースイッチ装置
（５７）【特許請求の範囲】
　【請求項１】　裏面から複数の第１係止部が垂設されたキートップと、
　前記キートップの下方に配設され、両端にそれぞれ係止軸が形成された２つのリンク部材からなる案内支持部材と、
　前記キートップの上下動に伴ってスイッチング動作を行なうスイッチング部材と、
　前記スイッチング部材が載置された回路基板と、
　上面に前記回路基板を支持するとともに
、
前記回路基板の挿通孔に上方に挿通した
　前記各係止軸のうち上側に位置する係止軸が前記第１係止部に係止されるとともに、下側に位置する係止軸が前記第２係止部に係止されるようにしたことを特徴とするキースイッチ装置。
【発明の詳細な説明】
　【０００１】
　【産業上の利用分野】
　本発明はキースイッチ装置に関し、特に、部品点数を少なくして構造が簡単で、且つ、コストを低く抑えることが可能なキースイッチ装置であり、ノート型ワードプロセッサ、ノート型パーソナルコンピュータ等に付設される薄型のキーボードに使用する好適なキースイッチ装置に関するものである。
　【０００２】
　【従来の技術】
　従来より、この種のキースイッチ装置は各種のものが提案されているが、本出願人は、特願平３−３３０１６０号に添付した明細書及び図面において、キートップの下面及びホルダプレートの双方にそれぞれ対応する２つの係止部を設けるとともに、両端に一対の係止ピンを形成したリンク部材を相互に交叉状に軸支してなる案内支持部材をキートップとホルダプレートとの間に配設し、各係止ピンをキートップ及びホルダプレートのそれぞれに設けられた係止部に係止してなるキースイッチ装置を提案した。
　【０００３】
　そして、このキースイッチ装置では、これを構成する各キートップ、案内支持部材、ホルダプレート、ラバースプリング、及び、フレキシブル回路基板が、支持板上に支持されることによりキースイッチ装置が達成されている。
　【０００４】
　【発明が解決しようとする課題】
　しかしながら、前記特願平３−３３０１６０号に添付した明細書及び図面に記載されたキースイッチ装置では、案内支持部材のリンク部材に形成された係止ピンをキートップの係止部とホルダプレートの係止部との間でそれぞれ係止することにより構成されているので、ホルダプレートが必須のものとされていた。
　【０００５】
　かかるホルダプレートは、その加工上、比較的コストがかかるものであり、また、ホルダプレートが存在する分だけキースイッチ装置全体の重量増加を招いていた。
　【０００６】
　本発明者等は、種々改良を重ねた結果、前記ホルダプレートを不要とすることができ、しかもキー操作上何等支障のないキースイッチ装置を見い出した。
　従って、本発明は前記従来技術の問題点を改良するためになされたものであり、ホルダプレートを不要とすることにより部品点数を少なくして、構造が簡単で、且つ、コストを低く抑えることが可能であり、しかもキー操作性の良好なキースイッチ装置を提供することを目的とする。
　【０００７】
　【課題を解決するための手段】
　前記目的を達成するために、本発明のキースイッチ装置は、裏面から複数の第１係止部が垂設されたキートップと、前記キートップの下方に配設され、両端にそれぞれ係止軸が形成された２つのリンク部材からなる案内支持部材と、前記キートップの上下動に伴ってスイッチング動作を行なうスイッチング部材と、前記スイッチング部材が載置された回路基板と、上面に前記回路基板を支持するとともに
、
前記回路基板の挿通孔に上方に挿通した
　【０００８】
　【作用】
　前記構成を有する本発明のキースイッチ装置では、キートップが押下されると、各リンク部材は相互に動くとともに、各リンク部材の両端に形成されたそれぞれの係止軸は、キートップの裏面の第１係止部及び支持板に形成された第２係止部内で移動される。
　【０００９】
　更に、キートップを押下すれば、そのキートップの押下動作に基づきスイッチング部材を介してスイッチング動作が行なわれる。一方、キートップの押下を解除すれば、各リンク部材はキートップとともに元の位置に復帰される。
　【００１０】
　【実施例】
　以下、本発明を具体化した一実施例に基づいて図１及び図２を参照しつつ詳細に説明する。図１はキートップを若干押下し始めた状態を示すキースイッチ装置の側断面図であり、図２はキースイッチ装置の分解説明図である。
　【００１１】
　これらの図において、キートップ１はＡＢＳ樹脂等の合成樹脂から成型されており、その上面にはアルファベット等の文字が印刷等により形成されている。また、キートップ１の裏面からは、２つの係止部２、３を下方に向けて垂設してなる保持部材Ｂがキートップ１本体と一体に設けられている。
　【００１２】
　係止部２には、後述する２つのリンク部材（ヒンジ部材）７、８のうちの一方のリンク部材７の一端に形成された係止ピン１３、１４を水平方向に摺動するとともに端部壁４Ａに当接係止可能な係止溝４が設けられており、また、係止部３には、他方のリンク部材８の一端に形成された係止ピン２３、２４を水平方向に摺動するとともに端部壁５Ａに当接係止可能な係止溝５が形成されている。
　【００１３】
　キートップ１の下方には、キートップ１の上下動を案内支持する案内支持部材６が配設されており、かかる案内支持部材６は前記リンク部材７、８から構成される。
　【００１４】
　一方のリンク部材７は、図３に示すように、基部９の両端に２つの基端部１０、１１を一体に形成してなるものである。基部９の中央部の一側面からは軸１２が延設されており、かかる軸１２は後述する他方のリンク部材８に形成された軸孔２０に軸支される。
　【００１５】
　なお、リンク部材７の係止ピン１３、１４と係止ピン１５、１６は軸１２を中心として一直線上に並び、且つ、軸１２からの距離が等しくなるように構成される。また、リンク部材８の係止ピン２１、２２と係止ピン２３、２４は軸孔２０を中心として一直線上に並び、且つ、軸孔２０からの距離が等しくなるように構成される。
　【００１６】
　そして、これら両リンク部材７、８は、軸１２と軸孔２０を回動可能に連結した状態において、基端部１１、１８の位置で上側に凸となるように屈曲している。そのため、図１に示されるように、軸支部Ａの下側において大きな空間を有するように構成されることになり、後述する側面視略台形のラバースプリング３１を効率よく軸支部Ａの下側に収納できるものである。
　【００１７】
　また、基端部１０の両端延部１０Ａの側面からは、係止ピン１３、１４が延設されており、この係止ピン１３、１４は前記したキートップ１の係止部２に設けられた係止溝４に係止されるものである。更に、基端部１１は平面視でコ字状に形成されており、コ字状の両端延部１１Ａの側面からは前記と同様の係止ピン１５、１６が延設されている。かかる係止ピン１５、１６は後述する支持プレート２５に形成された係止部２６に係止される。
　【００１８】
　更に、リンク部材８は、図４に示すように、基部１７の両端に２つの基端部１８、１９を一体に形成してなるものである。基部１７の中央部には軸孔２０が穿設され、この軸孔２０には前記のようにリンク部材７の基部９に設けられた軸１２が挿通される。また、基端部１８は平面視コ字状に形成されており、コ字状の両端延部１８Ａからは係止ピン２１、２２が延設されている。この係止ピン２１、２２は後述する支持プレート２５に形成された係止部２７に係止される。
　【００１９】
　また、基端部１９の両端延部１９Ａから前記と同様の係止ピン２３、２４が延設されており、かかる係止ピン２３、２４は前記したキートップ１の係止部３に形成された係止溝５に摺動可能に係止されるものである。
　【００２０】
　前記したように、案内支持部材６は、一方のリンク部材７の基部９に形成された軸１２を他方のリンク部材８の基部１７に穿設した軸孔２０に挿通して構成されるものであり、両リンク部材７、８は軸１２と軸孔１７とよりなる軸支部Ａを介して相互に回動可能となる。かかる軸支部Ａは後述するようにラバースプリング３１の頂部のほぼ中央位置に対向配置されている。
　【００２１】
　キートップ１にリンク部材７、８を取り付けた状態にあっては、係止ピン１３、１４、２３、２４の先端が端部壁４Ａ、５Ａに当接状態にあるため、相互の図１の紙面に対して垂直方向のガタが防止される。
　【００２２】
　次に、案内支持部材６の下方には鉄板等の金属薄板よりなる支持プレート２５（支持板）が配設されており、かかる支持プレート２５上には前記リンク部材７の基端部１１に延設された係止ピン１５、１６及び前記リンク部材８の基端部１８に延設された係止ピン２１、２２をそれぞれ係止するための係止部２６、２７が設けられている。
　【００２３】
　係止部２６は、図５に示すように、キースイッチが配置される支持プレート２５上で各キースイッチの周囲の四隅において、長方形状の一辺を支持プレート２５に連続させたまま三辺を打ち抜くとともに、所定形状に切り起こすことにより形成される係止片３５（図１及び図２参照）よりなるものである。
　【００２４】
　かかる係止片３５は、係止ピン１５、１６を水平方向に摺動案内する水平部３５Ａとその水平部３５Ａの外側端部から垂下された垂下部３５Ｂとを有し、これらの水平部３５Ａと垂下部３５Ｂとにより長孔状の係止溝２８が形成される。かかる係止溝２８には前記リンク部材７の係止ピン１５、１６が水平方向に摺動可能に係止されている。
　【００２５】
　ここに、係止溝２８の両端には、第１端縁部２８Ａ（図１における左方側）と第２端縁部２８Ｂ（図１における右方側）との２つの端縁部が形成されている。これらの各端縁部２８Ａ、２８Ｂの内、第１端縁部２８Ａは、後述するようにキートップ１の非押下状態でリンク部材７における係止ピン１５、１６の図１における左方向への摺動を規制するものであり、また、第２端縁部２８Ｂは、キートップ１の押下時に係止ピン１５、１６の図１における右方向への摺動を規制するものである。
　【００２６】
　また、係止部２７は、係止部２６と同様に、図５に示すように、キースイッチが配置される支持プレート２５上で各キースイッチの周囲の四隅において、長方形状の一辺を支持プレート２５に連続させたまま三辺を打ち抜くとともに、所定形状に切り起こすことにより形成される係止片３６（図１及び図２参照）よりなるものである。
　【００２７】
　かかる係止片３６は、係止ピン２１、２２を水平方向に摺動案内する水平部３６Ａとその水平部３６Ａの外側端部から垂下された垂下部３６Ｂとを有し、これらの水平部３６Ａと垂下部３６Ｂとにより長孔状の係止溝２９が形成される。かかる係止溝２９には前記リンク部材８の係止ピン２１、２２が水平方向に摺動可能に係止されている。
　【００２８】
　ここに、係止溝２９の両端には、前記係止溝２８と同様、第１端縁部２９Ａ（図１における右方側）と第２端縁部２９Ｂ（図１における左方側）との２つの端縁部が形成されている。これらの各端縁部２９Ａ、２９Ｂの内、第１端縁部２９Ａは、後述するようにキートップ１の非押下状態でリンク部材８における係止ピン２１、２２の図１における右方向への摺動を規制するものであり、また、第２端縁部２９Ｂは、キートップ１の押下時に係止ピン２１、２２の図１における左方向への摺動を規制するものである。
　【００２９】
　これにより、キートップ１の非押下状態において、係止溝２８の第１端縁部２８Ａと係止溝２９の第１端縁部２９Ａとにリンク部材７の各係止ピン１５、１６及びリンク部材８の各係止ピン２１、２２が当接し、相互に協動して、リンク部材７、８の図５中の左方向、右方向への摺動を規制する作用を行なうものであり、この結果、後述するラバースプリング３１の上方への弾性力と相まってキートップ１は非押下状態に保持されるものである。
　【００３０】
　また、キートップ１の押下時には、係止溝２８の第２端縁部２８Ｂと係止溝２９の第２端縁部２９Ｂとにリンク部材７の各係止ピン１５、１６及びリンク部材８の各係止ピン２１、２２が当接し、相互に協動してリンク部材７、８の図５中の右方向、左方向への摺動を規制する作用を行なうものであり、この結果、キートップ１が、後述するように軸支部Ａを介してラバースプリング３１を押下してスイッチング動作を行なった後、キートップ１が更に水平方向に摺動してしまうことを防止するものである。
　【００３１】
　また、いずれの場合においても、係止片３５、３６により、リンク部材７、８のガタが阻止されるとともに、軸孔２０より軸１２が抜け出ることが防止される。
　【００３２】
　更に、支持プレート２５の上方には、スイッチ電極を含む所定の回路パターン（図示せず）が形成されたフレキシブル回路基板３０が配設され、スイッチ電極に対応する位置にはスイッチング部材として逆カップ状のラバースプリング３１が載置されている。このラバースプリング３１は内部に公知の可動電極を有しており、また、その上面の中央部には前記した２つのリンク部材７、８を相互に回動可能に軸支する軸支部Ａが対向配置される。このラバースプリング３１の頂部は軸支部Ａによる押下時においても変形しない程度の厚さに形成されている。
　【００３３】
　また、フレキシブル回路基板３０には、前記各係止片３５、３６に対応してこれを上方に挿通するための挿通孔３０Ａ（図１及び図２参照）が形成されており、これより各係止片３５、３６は、図１及び図２に示すように、挿通孔３０Ａから上方へ挿通されてフレキシブル回路基板３０の上方に配置されるものである。ここに、フレキシブル回路基板３０は、その挿通孔３０Ａから各係止片３５、３６が挿通されることに基づき、支持プレート２５上にて適正な位置に位置決めされるものである。
　【００３４】
　これにより、キートップ１の押下に伴って軸支部Ａが下方に移動すると、軸支部Ａはラバースプリング３１を押下し、その押下量が一定の限度を超えると、ラバースプリング３１が挫屈し、ラバースプリング３１内の可動電極によりスイッチ電極が短絡されるものである。
　【００３５】
　このとき、各係止ピン１３、１４等は各係止溝４等に沿ってフレキシブル回路基板３０上を水平方向に摺動されるので、軸支部Ａはキートップ１の押下に伴ってラバースプリング３１の頂部におけるほぼ中央位置に当接されつつ上下運動を行なうこととなり、これによりラバースプリング３１を垂直に押下することが可能となる。
　【００３６】
　続いて、前記の構成を有するキースイッチ装置の動作について説明する。先ず、キートップ１の非押下状態においてはラバースプリング３１の上方への弾性力と相まって、リンク部材７の係止ピン１５、１６が係止溝２８の第１端縁部２８Ａに当接係止されているとともに、リンク部材８の係止ピン２１、２２が係止溝２９の第１端縁部２９Ａに当接係止されているので、キートップ１は水平方向に移動されることなく非押下状態が保持されている。
　【００３７】
　そして、キートップ１を下方に押下すると、キートップ１が下方へ移動するに伴ってリンク部材７の係止ピン１３、１４は係止部２の係止溝４内で水平方向（図１における左方向）に摺動するとともに、リンク部材８の係止ピン２３、２４は係止部３の係止溝５内で水平方向（図１における右方向）に摺動する。これと同時に、リンク部材８の係止ピン２１、２２は支持プレート２５における係止部２７の係止溝２９内で水平方向（図１における左方向）に摺動するとともに、リンク部材７の係止ピン１５、１６は係止部２６の係止溝２８内で水平方向（図１における右方向）に摺動する。
　【００３８】
　この結果、リンク部材７及びリンク部材８を相互に軸支する軸支部Ａは下方に移動するとともにラバースプリング３１を徐々に押下していき、その押下量が一定の限度を超えた時点でラバースプリング３１は挫屈される。これにより、ラバースプリング３１内の可動電極がフレキシブル回路基板３０上のスイッチ電極を短絡し、所定のスイッチング動作が行われる。
　【００３９】
　かかるスイッチング動作の後、キートップ１は、キー操作上更に押下されていくが、このときリンク部材７の係止ピン１３、１４は係止溝４内で摺動して端部壁４Ａに当接係止されるとともに、リンク部材８の係止ピン２３、２４は係止溝５内で摺動して端部壁５Ａに当接係止される。また、これと同時に、リンク部材７の係止ピン１５、１６は係止溝２８内で摺動して第２端縁部２８Ｂに当接係止されるとともに、リンク部材８の係止ピン２１、２２は係止溝２９内を摺動して第２端縁部２９Ｂに当接係止される。
　【００４０】
　これにより、キートップ１は、軸支部Ａを介してラバースプリング３１を押下することにより、ラバースプリング３１内の可動電極とフレキシブル回路基板３０上の固定電極とによりスイッチング動作を行なった後、前記各係止ピン１３等と各端部壁４Ａ、５Ａ、端縁部２８Ｂ、２９Ｂとの協働によってその押下位置にて位置決めされるので、水平方向に不必要に移動されることはない。
　【００４１】
　キートップ１の押下を解除すると、両リンク部材７、８の軸支部Ａはラバースプリング３１の弾性復元力により上方に押し上げられる。これに伴って前記各係止ピン１３、１４、１５、１６、２１、２２は前記したのと逆の動作を行い、この結果、キートップ１は元の非押下状態の位置に復帰される。
　【００４２】
　以上詳細に説明した通り、本実施例に係るキースイッチ装置では、支持プレート２５に直接係止片３５、３６を形成することにより係止溝２８、２９を有する係止部２６、２７を設け、これらの係止片３５、３６の係止溝２８、２９とキートップ１に形成した係止部２、３の係止溝４、５とにより各係止ピン１３等をそれぞれ摺動可能に係止するようにしたので、従来必要とされていたホルダプレートを全く不要とすることができる。
　【００４３】
　また、キートップ１の非押下状態においてリンク部材７の係止ピン１５、１６を係止溝２８の第１端縁部２８Ａにて当接係止させるとともに、リンク部材８の係止ピン２１、２２を係止溝２９の第１端縁部２９Ａにて当接係止させるようにしたので、キートップ１の非押下時にはラバースプリング３１の上方への弾性力とも相まってキートップ１の水平方向への移動が防止されて位置決めされる。
　【００４４】
　更に、キートップ１の押下時においては、リンク部材７の係止ピン１３、１４及びリンク部材８の係止ピン２３、２４をそれぞれ係止溝４の端部壁４Ａ、係止溝５の端部壁５Ａに当接係止させるとともに、リンク部材７の係止ピン１５、１６及びリンク部材８の係止ピン２１、２２をそれぞれ係止溝２８の第２端縁部２８Ｂ、係止溝２９の第２端縁部２９Ｂに当接係止させるようにしたので、キートップ１の押下により、ラバースプリング３１の可動電極とフレキシブル回路基板３０の固定電極との間でスイッチング動作を行なった後、キートップ１が水平方向に移動されることが防止されて、その押下位置にてキートップ１が位置決めされるものである。
　【００４５】
　このように本実施例に係るキースイッチ装置では、キートップ１の非押下時及び押下時の双方の場合においてキートップ１が不必要に水平方向に移動されることが防止されるので、キー操作性が良好で確実なスイッチング動作を可能とするキースイッチ装置を実現することができる。
　【００４６】
　これにより、部品点数を少なくして、構造が簡単で、且つ、コストを低く抑えることが可能であり、しかもキー操作性の良好なキースイッチ装置を提供し得るものである。
　【００４７】
　また、フレキシブル回路基板３０に形成された挿通孔３０Ａからは各係止片３５、３６が挿通されるので、フレキシブル回路基板３０は、挿通孔３０Ａと各係止片３５、３６との挿通関係に基づいて、支持プレート２５上の適切な位置で位置決めされるものである。
　【００４８】
　尚、本発明は前記実施例に限定されるものではなく、本発明の要旨を逸脱しない範囲で種々の変形、改良が可能である。例えば、本実施例におけるリンク部材７、８はパンタグラフ状に組み合わせた同種の部材によっても同様の効果を得られることは勿論である。
　【００４９】
　また、フレキシブル回路基板３０の摩擦係数が支持プレート２５のそれより高い場合にあっては、フレキシブル回路基板３０の挿通孔３０Ａを介してリンク部材７、８の係止ピン１５、１６、２１、２２を支持プレートと摺動させるようにしてもよい。
　【００５０】
　【発明の効果】
　以上説明した通り本発明は、ホルダプレートを不要とすることにより部品点数を少なくして、構造が簡単で、且つ、コストを低く抑えることが可能であり、しかもキー操作性の良好なキースイッチ装置を提供することができ、その産業上奏する効果は大である。
【図面の簡単な説明】
　【図１】
　キートップを若干押下し始めた状態を示すキースイッチ装置の側断面図である。
　【図２】
　キースイッチ装置の分解説明図である。
　【図３】
　一方のリンク部材の平面図である。
　【図４】
　他方のリンク部材の平面図である。
　【図５】
　支持プレートに形成された係止部を示す平面図である。
　【符号の説明】
　１　　　　　　　　　　　　キートップ
　２、３、２６、２７　　　　係止部
　４、５、２８、２９　　　　係止溝
　６　　　　　　　　　　　　案内支持部材
　７、８　　　　　　　　　　リンク部材（ヒンジ部材）
　１３、１４、１５、１６
　２１、２２、２３、２４　　係止ピン
　２５　　　　　　　　　　　支持プレート（支持板）
　３０　　　　　　　　　　　フレキシブル回路基板
　３０Ａ　　　　　　　　　　挿通孔
　３１　　　　　　　　　　　ラバースプリング
　３５、３６　　　　　　　　係止片
　Ａ　　　　　　　　　　　　軸支部